(57)【要約】【課題】身近な装置の音によって、ＬＥＤラインランプの調光を制御する【解決手段】  マイク５ａは、集音した音データを音解析部５ｂに供給する。音解析部５ｂは、マイク５ａから供給された音データを解析し、音データが、携帯電話またはスマートフォンなどの、音出力装置６から発生された音であった場合、解析結果を制御部５ｅに供給する。外部入力部５ｃは、メモリ５ｄに記録する情報の外部入力を受け、メモリ５ｄに記録する。メモリ５ｄは、音解析部５ｂまたは制御部５ｅが実行するプログラムや、音解析部５ｂまたは制御部５ｄが処理を実行するために必要な情報を記録している。制御部５ｅは、音解析部５ｂから供給された音データの解析結果、および、メモリ５ｄに記録された情報などに基づいて、調光制御信号を生成し、ＬＥＤ駆動回路部３に供給する。【選択図】図２
2014110185.tif 000002
【特許請求の範囲】
【請求項１】
周囲の音を取得する集音手段と、
前記集音手段により得られた音データを解析する解析手段と、
前記解析手段により解析された前記音データが、所定の音データであった場合、前記所定の音データに対応付けられたＬＥＤラインランプの調光のための制御信号を生成し、前記ＬＥＤラインランプのＬＥＤ素子の駆動側に出力する制御手段と
を備えることを特徴とするＬＥＤラインランプ制御装置。
【請求項２】
請求項１に記載のＬＥＤラインランプ制御装置であって、
前記所定の音データは、ＤＴＭＦで定められた合成信号音であり、
前記解析手段は、ＤＴＭＦデコーダである
ことを特徴とするＬＥＤラインランプ制御装置。
【請求項３】
請求項２に記載のＬＥＤラインランプ制御装置において、
ＤＴＭＦで定められた前記合成信号音に対応付けてコマンドを規定するコマンドリストを記録する記録手段をさらに備え、
前記制御手段は、前記記録手段に記録されている前記コマンドリストを参照し、前記解析手段による解析結果に基づいて、前記集音手段により集音された前記合成信号音に対応付けられた前記コマンドに対応した調光を前記駆動側に実行させるための前記制御信号を生成する
ことを特徴とするＬＥＤラインランプ制御装置。
【請求項４】
請求項１乃至３のいずれかに記載のＬＥＤラインランプ制御装置と、
調光対象となる前記ＬＥＤ素子と、
前記制御手段により生成された前記制御信号に基づいて、当該ＬＥＤ素子を駆動する駆動手段と、
を備えることを特徴とするＬＥＤラインランプ。
【請求項５】
周囲の音を取得する集音ステップと、
前記集音ステップの処理により得られた音データを解析する解析ステップと、
前記解析ステップの処理により解析された前記音データが、所定の音データであった場合、前記所定の音データに対応付けられたＬＥＤラインランプの調光のための制御信号を生成する制御信号生成ステップと
を含むことを特徴とするＬＥＤラインランプの制御方法。
【発明の詳細な説明】
【技術分野】
【０００１】
本発明は、音によって、ＬＥＤラインランプの点灯、消灯、または、光の強さの調節を制御することができる、ＬＥＤラインランプ制御装置、ＬＥＤラインランプ、および、ＬＥＤラインランプの制御方法に関する。
【０００２】
特に、携帯電話やスマートフォンなどの、身近な装置の音によって、点灯、消灯、または、光の強さの調節を制御することができるようにしたものである。
【背景技術】
【０００３】
従来、電源側に設定される固定基部にＬＥＤ照明部が回動可能な形で取り付けられたＬＥＤラインランプが提案されている（例えば、特許文献１）。
【先行技術文献】
【特許文献】
【０００４】
【特許文献１】特開２００７−１２２９３３号公報
【発明の概要】
【発明が解決しようとする課題】
【０００５】
一般的に、ＬＥＤラインランプの点灯または消灯、もしくは、光の強さの調節などは、壁面のスイッチや、専用のリモートコントローラを用いて行われる。
【０００６】
壁面のスイッチを用いて、ＬＥＤラインランプの点灯または消灯、もしくは、光の強さの調節などを行う場合、ユーザは、スイッチが設けられている壁面まで自ら移動することが必要であった。そこで、ユーザが自由に持ち運び可能な専用のリモートコントローラが用いられるが、このような専用のリモートコントローラは、通常、身に着けているようなものではないので、ＬＥＤラインランプの点灯または消灯、もしくは、光の強さの調節などを行いたい場合、ユーザは、わざわざリモートコントローラを持ち歩くか、または、リモートコントローラを置いてある場所に自ら移動する必要があった。
【０００７】
そこで、本発明は、上記課題を解決すること、すなわち、普段持ち歩いている身近な装置の音によって、ＬＥＤラインランプの点灯、消灯、または、光の強さの調節を制御することができる、ＬＥＤラインランプ制御装置、ＬＥＤラインランプ、および、ＬＥＤラインランプの制御方法を提供することを目的とする。
【課題を解決するための手段】
【０００８】
本発明は、以上の課題を次のようにして解決する。
【０００９】
（１）周囲の音を取得する集音手段（例えば、マイク５ａ）と、
前記集音手段により得られた音データを解析する解析手段（例えば、音解析部５ｂ）と、
前記解析手段により解析された前記音データが、所定の音データ（例えば、携帯電話またはスマートフォンなどの装置から発生された音）であった場合、前記所定の音データに対応付けられたＬＥＤラインランプの調光のための制御信号を生成し、前記ＬＥＤラインランプのＬＥＤ素子（例えば、ＬＥＤ素子４ａ）の駆動側（例えば、ＬＥＤ駆動回路部３）に出力する制御手段（例えば、制御部５ｅ）と
を備えるＬＥＤラインランプ制御装置（例えば、音解析処理部５）を用いる。
【００１０】
（２）上記（１）のＬＥＤラインランプ制御装置において、
前記所定の音データは、ＤＴＭＦで定められた合成信号音であり、
前記解析手段は、ＤＴＭＦデコーダであるものとする。
【００１１】
（３）上記（２）のＬＥＤラインランプ制御装置において、
ＤＴＭＦで定められた前記合成信号音に対応付けてコマンドを規定するコマンドリストを記録する記録手段（例えば、メモリ５ｄ）をさらに備え、
前記制御手段は、前記記録手段に記録されている前記コマンドリストを参照し、前記解析手段による解析結果に基づいて、前記集音手段により集音された前記合成信号音に対応付けられた前記コマンドに対応した調光を前記駆動側に実行させるための前記制御信号を生成する。
【００１２】
（４）上記（１）〜（３）のいずれかのＬＥＤラインランプ制御装置と、
調光対象となる前記ＬＥＤ素子（例えば、ＬＥＤ素子４ａ）と、
前記制御手段により生成された前記制御信号に基づいて、当該ＬＥＤ素子を駆動する駆動手段（例えば、ＬＥＤ駆動回路部３）と、
を備えるＬＥＤラインランプを用いる。
【００１３】
（５）周囲の音を取得する集音ステップ（例えば、ステップＳ１またはステップＳ５の処理）と、
前記集音ステップの処理により得られた音データを解析する解析ステップ（例えば、ステップＳ２またはステップＳ６の処理）と、
前記解析ステップの処理により解析された前記音データが、所定の音データ（例えば、携帯電話またはスマートフォンなどの装置から発生された音）であった場合、前記所定の音データに対応付けられたＬＥＤラインランプの調光のための制御信号を生成する制御信号生成ステップ（例えば、ステップＳ８の処理）と
を含むことを特徴とするＬＥＤラインランプの制御方法を用いる。
【発明の効果】
【００１４】
本発明は、以上の課題解決手段により、
(11)専用のリモートコントローラではない、所定の音を出力可能な装置を用いて、ＬＥＤラインランプの調光を指令する
(12)携帯電話またはスマートフォンなどの、ＤＴＭＦで定められた合成信号音を発生する装置を用いて、ＬＥＤラインランプの調光を指令する
ことなどができる。
【図面の簡単な説明】
【００１５】
【図１】ＬＥＤラインランプの全体外観と、音出力装置６を示す図である
【図２】音解析制御部５の構成を示す図である。
【図３】ＬＥＤラインランプのＬＥＤ素子４ａ付近の断面を示す図である。
【図４】ＤＴＭＦで定められた合成信号音について説明するための図である。
【図５】コマンドリストについて説明するための図である。
【図６】音解析処理部５が実行する照明制御処理について説明するためのフローチャートである。
【発明を実施するための形態】
【００１６】
図１〜図６を参照して、本発明を実施するための形態について説明する。
【００１７】
各図で用いるアルファベット付き参照番号の構成要素（例えば、接続端子１ａ）は原則として、当該参照番号の数字部分の構成要素（例えば、封止蓋部１）の一部であることを示している。
【００１８】
図１〜図３において、
１，１´は、左右一対の形で配設され、後述する放熱部２ａおよび拡散部２ｂで構成された外筒部２の左右両端を封止する封止蓋部、
１ａ，１ａ´は、当該封止蓋部のそれぞれの外端面部分に形成された一対の接続端子、
２は、後述する放熱部２ａおよび拡散部２ｂから構成される直管状の外筒部、
２ａは、放熱樹脂とポリカーボネートなどの合成樹脂との混合物で生成され、後述するＬＥＤ基板４が発生する熱を外部に放熱する放熱部、
２ｂは、ポリカーボネートなどの合成樹脂で生成され、ＬＥＤ出力光の拡散作用および白色化作用を呈する断面Ｃ形直線状の拡散部
を、それぞれ示している。
【００１９】
そして、
３は、後述するＬＥＤ素子４ａを駆動するための駆動素子や、電源回路ユニットなどを搭載したＬＥＤ駆動回路部、
４は、外筒部２の内側となるように、放熱部２ａに固定されているＬＥＤ基板、
４ａは、ＬＥＤ基板４に搭載されたＬＥＤ素子（図３参照）
を、それぞれ示している。
【００２０】
そして、
５は、後述するマイクロフォン５ａ（以下、マイクと５ａ称する）によって集音された音データに基づいて、ＬＥＤ基板４に搭載されたＬＥＤ素子４ａを駆動するための調光制御信号（コマンド）を生成する音解析制御部、
５ａは、周囲の音を取得（集音）するマイク
５ｂは、マイク５ａによって得られた音データを解析する音解析部、
５ｃは、後述するメモリ５ｄに記録する情報の外部入力を受ける外部入力部、
５ｄは、音解析部５ｂまたは制御部５ｄが実行するプログラムや、音解析部５ｂまたは制御部５ｄが処理を実行するために必要な情報を記録するメモリ、
５ｅは、音声解析部５ｂによる解析結果に基づいて、ＬＥＤ基板４に搭載されたＬＥＤ素子４ａを駆動するための調光制御信号（コマンド）を生成する制御部、
６は、例えば、携帯電話、スマートフォン、または、タブレット端末など、所定の音を出力することが可能な音出力装置
を、それぞれ示している。
【００２１】
図１は、ＬＥＤラインランプの全体外観と、音出力装置６を示す図である。
【００２２】
放熱部２ａおよび拡散部２ｂで構成される外筒部２は、ＬＥＤ駆動回路部３、および、ＬＥＤ基板４をその内部に備え、封止蓋部１，１´のそれぞれにより、その両端が封止される。
【００２３】
ＬＥＤ駆動回路部３は、駆動素子や、電源回路ユニットなどを搭載し、ＬＥＤ基板４に搭載されているＬＥＤ素子４ａを駆動する。ＬＥＤ駆動回路部３は、接続端子１ａ，１ａ´と電気的に接続されており、従来の壁面スイッチ等を用いて指令される点灯や消灯などの制御信号や、電源の供給を外部から受けることができる。また、ＬＥＤ駆動回路部３は、音解析制御部５とも接続され、音解析制御部５から、点灯または消灯、もしくは、光の強さの調節などを制御するための調光制御信号の供給を受ける。調光制御信号は、既存の専用のリモートコントローラが、ＬＥＤラインランプの点灯または消灯、もしくは、光の強さの調節などを制御するために出力するコマンドと同等のものである。
【００２４】
音解析制御部５は、封止蓋部１に搭載され、例えば、コンデンサマイクなどのマイク５ａによって周囲の音を取得することができる。そして、音解析制御部５は、集音した音データを解析し、解析結果に基づいて、点灯または消灯、もしくは、光の強さの調節などの調光制御信号（コマンド）を生成して、ＬＥＤ駆動回路部３に供給する。音解析制御部５には、必要に応じて、アンプを搭載し、マイクによって集音された音データを増幅したのち、音データを解析するものとしてもよい。音解析制御部５の詳細については、図２を用いて後述する。
【００２５】
音出力装置６は、例えば、携帯電話、スマートフォン、または、タブレット端末など、音を出力することが可能な装置であり、ユーザは、音出力装置６を操作することにより出力される音を用いて、ＬＥＤラインランプの調光操作を行うことができる。換言すれば、ユーザは、音出力装置６を、ＬＥＤラインランプのリモートコントローラとして用いることができる。
【００２６】
音出力装置６としては、例えば、携帯電話またはスマートフォンなどで利用される、ＤＴＭＦ（英: Dual-Tone Multi-Frequency：デュアルトーンマルチ周波数）で定められた合成信号音を発生する装置を用いることが可能である。また、音出力装置６として、例えば、携帯電話またはスマートフォンなどの、多くのユーザが他の利用目的のために携帯している装置を用いると、ユーザは、ＬＥＤラインランプ専用のリモートコントローラを用いることなく、他の目的のためにすでに利用している装置をＬＥＤラインランプのリモートコントローラとして利用することができ、好適である。
【００２７】
ＤＴＭＦは、0から9までの数字と、＊、#、A、B、C、Dの記号の計１６種類の符号を、低群・高群の２つの音声周波数帯域の合成信号音で送信する方法である。別名「トーン信号」「プッシュ信号」とも呼ばれ、その信号音は人間の可聴域にある。規格としては、ITU-T勧告Q.24、日本では総務省令端末設備等規則第12条第2号に基づく別表第2号に、押しボタンダイヤル信号の条件として規定されている。
【００２８】
ここで、封止蓋部１，１´は、例えば、実用新案登録３１７６５９４号に記載の技術を適用することなどにより、放熱部２ａおよび拡散部２ｂで構成される外筒部２を回動可能なように把持することができると好適である。
【００２９】
また、図示のＬＥＤラインランプは、ＬＥＤ基板４に搭載されるＬＥＤ素子４ａとして、青色発光素子に黄色の蛍光体を被せたものを用い、拡散部２ｂには拡散剤を設けることにより、この青色および黄色の混色作用によって拡散部２ｂからの白色照射光を出力することができると好適である。
【００３０】
なお、音出力装置６には、携帯電話、または、スマートフォン以外にも、例えば、据え置き型の電話機、または、その子機、タブレット端末などのユーザが携帯可能な小型の装置、もしくは、パーソナルコンピュータ等の、ユーザの指令によって所定の音を出力する装置を用いることも可能である。
【００３１】
次に、図２を参照して、音解析制御部５の構成について説明する。
【００３２】
音解析制御部５は、マイク５ａ、音解析部５ｂ、外部入力部５ｃ、メモリ５ｄ、および、制御部５ｅを含んで構成されている。
【００３３】
マイク５ａは、集音した音データを音解析部５ｂに供給する。マイク５ａにより集音される音データには、図１を用いて説明した音出力装置６から発生される音が含まれることは言うまでもない。マイク５ａには、必要に応じて、アンプが内蔵されていてもよい。
【００３４】
音解析部５ｂは、マイク５ａから供給された音データを解析し、音データが、音出力装置６から発生された音であった場合、解析結果を制御部５ｅに供給する。
【００３５】
例えば、音出力装置６として、携帯電話またはスマートフォンなどの、ＤＴＭＦで定められた合成信号音を発生する装置を利用する場合、音解析部５ｂとして、ＤＴＭＦデコーダを用いるものとすると好適である。ＤＴＭＦで定められた合成信号音は、具体的には、図４に示されるように、0から9までの数字と、＊、#、A、B、C、Dの記号の計１６種類の符号が、低群・高群の２つの音声周波数帯域の合成信号音に対応するように割り当てられたものであり、例えば "１" は 697Hz と 1209Hz の２つの音声信号の合成音によって表される。その他の符号も同様に、低群・高群の２つの音声周波数帯域の合成信号音によって表される。音解析部５ｂとして、ＤＴＭＦデコーダが用いられた場合、音解析部５ｂは、マイク５ａから供給された音データを解析して、低群・高群の２つの音声周波数帯域を検出し、音出力装置６から発生された音が、0から9までの数字か、または、＊、#の記号のいずれに割り当てられているものであるかを検出して、その結果を、制御部５ｅに供給することができる。ＤＴＭＦデコーダとしては、例えば、カルフォルニア・マイクロ・デバイセズ社製のＣＭ８８７０を用いることができる。
【００３６】
なお、音解析部５ｂには、ＤＴＭＦデコーダ以外にも、さまざまなアルゴリズムの音解析機能を有するものが利用可能であることは言うまでもなく、例えば、プログラミング可能なマイクロコンピュータ等を利用してもよい。
【００３７】
外部入力部５ｃは、メモリ５ｄに記録する情報の外部入力を受け、メモリ５ｄに記録する。外部入力部５ｃから供給される情報としては、例えば、音解析部５ｂまたは制御部５ｄが実行するプログラムや、音解析部５ｂまたは制御部５ｄが処理を実行するために必要な、例えば、後述するコマンドリストなどの情報がある。ユーザ、または、製造者は、外部入力部５ｃを介して、メモリ５ｄに所望の情報を記録させることにより、音解析制御部５が実行する調光制御をカスタマイズすることが可能となる。
【００３８】
なお、音解析制御部５が実行する調光制御において、制御部５ｄにあらかじめプログラムが組み込まれ、メモリ５ｄを特に必要としない場合や、または、メモリ５ｄにあらかじめ記録された情報のみを用いて処理を行うような場合、換言すれば、ユーザが操作入力のために利用する音源の種類や、コマンドの割り当ての変更等のカスタマイズが行われないような場合、外部入力部５ｃは省略してもよい。
【００３９】
メモリ５ｄは、音解析部５ｂまたは制御部５ｄが実行するプログラムや、音解析部５ｂまたは制御部５ｄが処理を実行するために必要な情報を記録している。例えば、音出力装置６として、携帯電話またはスマートフォンなどの、ＤＴＭＦで定められた合成信号音を発生する装置が利用される場合、メモリ５ｄには、例えば、図５に示されるような、＊および#の記号、並びに、0から9までの数字に、調光のためのコマンドを割り当てたコマンドリストを記録することができる。
【００４０】
なお、コマンドリストに記載されるコマンドは、既存のＬＥＤラインランプの調光制御において、例えば、専用のリモートコントローラにより出力されるコマンドと同様のものとしてもよい。
【００４１】
また、例えば、音解析部５ｂがプログラミング可能なマイクロコントローラなどで構成されている場合、必要に応じて、外部入力部５ｃを介して、メモリ５ｄに記録されている音解析部５ｂが実行するプログラムを更新して、音解析部５ｂが実行する解析処理のアルゴリズムを変更し、併せて、コマンドリストを書き換えることなどにより、ユーザが操作入力のために利用する音源の種類や対応するコマンドを変更することなども可能となる。
【００４２】
以下、音出力装置６として、携帯電話またはスマートフォンなどの、ＤＴＭＦで定められた合成信号音を発生する装置を利用する場合を例として説明する。
【００４３】
制御部５ｅは、音解析部５ｂから供給された音データの解析結果、および、メモリ５ｄに記録された情報などに基づいて、ＬＥＤ駆動回路部３に供給する調光制御信号を生成し、ＬＥＤ駆動回路部３に供給する。制御部５ｅには、例えば、マイクロコントローラなどを用いることができる。例えば、制御部５ｅは、例えば、音解析部５ｂから供給された音データの解析結果が、0から9までの数字か、または、＊、#、のうちのいずれかであった場合、メモリ５ｄに記録されているコマンドリストを参照して、対応するコマンドの調光制御信号を、ＬＥＤ駆動回路部３に供給する。
【００４４】
具体的には、例えば、制御部５ｅとして、マイクロチップ・テクノロジー社製のＰＩＣ１６Ｆ１８２３などのマイクロコントローラを用いることができ、音解析部５ｂとしてＣＭ８８７０が用いられた場合、制御部５ｅは、ＣＭ８８７０から供給される４ｂｉｔの信号に基づいて、ＰＷＭ（Pulse Width Modulationパルス幅変調）制御を行うことにより、ＬＥＤ素子の調光制御を行うことができる。
【００４５】
なお、コマンドリストの＊および#の記号、並びに、0から9までの数字に対応付けられるコマンドを、音解析処理部５を有していない既存のＬＥＤラインランプの調光制御において、専用のリモートコントローラにより出力されるコマンドと同様のもとしてもよい。この場合、既存のＬＥＤラインランプに音解析処理部５に対応する制御装置を装着し、制御部５ｅが出力する調光制御信号を、専用のリモートコントローラにより出力されるコマンドと同様にＬＥＤ駆動回路部３に供給可能とする（すなわち、制御部５ｅの出力とＬＥＤ駆動回路部３の入力を接続する）だけで、音出力装置６をＬＥＤラインランプのリモートコントローラとして利用することができる。すなわち、ユーザは、音解析処理部５が搭載されたＬＥＤラインランプを新規購入しなくても、音解析処理部５に対応する制御装置のみを購入し、既存のＬＥＤラインランプに接続するだけで、携帯電話またはスマートフォンなどの、ＤＴＭＦで定められた合成信号音を発生する装置をリモートコントローラとして利用することが可能となる。
【００４６】
また、制御部５ｅは、例えば、音解析部５ｂから供給された１音ごとの音データの解析結果に基づいて調音信号を生成し、ＬＥＤ駆動回路部３に供給するものとしてもよいが、例えば、音解析部５ｂから0から9までの数字か、または、＊、#、のうちのいずれか１音分に対応する音データの解析結果を得たのち、所定の時間内に、0から9までの数字か、または、＊、#、のうちのいずれかに対応する音データの解析結果を得ない場合のみ、コマンドに対応する調音信号を生成し、ＬＥＤ駆動回路部３に供給するものとしてもよい。
【００４７】
携帯電話またはスマートフォンなどのＤＴＭＦで定められた合成信号音を発生する装置は、ユーザにより、通常通話等の操作入力を受ける時、0から9までの数字か、または、＊、#、のうちのいずれかに対応する音を、所定時間内に複数回発生することが想定される。したがって、制御部５ｅは、音出力装置６における通常通話等の操作入力と、ＬＥＤラインランプの調光制御操作入力とを区別するために、0から9までの数字か、または、＊、#、のうちのいずれか１音分に対応する音データの解析結果を得たのち、所定の時間内に、0から9までの数字か、または、＊、#、のうちのいずれかに対応する音データの解析結果を得ない場合にのみ、コマンドに対応する調光制御信号を生成するものとすると、誤動作を防止することができ、好適である。
【００４８】
次に、図６のフローチャートを参照して、音解析処理部５が実行する照明制御処理について説明する。
【００４９】
ステップＳ１において、音解析部５ｂは、マイク５ａから供給される情報をもとに、音データを取得したか否かを判断する。ステップＳ１において、音データを取得していないと判断された場合、音データを取得したと判断されるまで、ステップＳ１の処理が繰り返される。
【００５０】
ステップＳ１において、音データを取得したと判断された場合、ステップＳ２において、音解析部５ｂは、マイク５ａから供給された音データを解析する。
【００５１】
ステップＳ３において、音解析部５ｂは、解析された音データは、所定の音出力装置６が発生した音であるか否かを判断する。例えば、音解析部５ｂは、解析された音データが、携帯電話またはスマートフォンなどの、ＤＴＭＦで定められた合成信号音を発生する装置から発生された、0から9までの数字か、または、＊、#、のうちのいずれか１音分に対応する音であるか否かを判断する。ステップＳ３において、解析された音データは所定の音出力装置６が発生した音ではないと判断された場合、処理は、ステップＳ１に戻り、それ以降の処理が繰り返される。
【００５２】
ステップＳ３において、解析された音データは所定の音出力装置６が発生した音であると判断された場合、ステップＳ４において、音解析部５ｂは、解析結果を制御部５ｅに供給する。制御部５ｅは、音データの解析結果に基づいて、必要に応じてメモリ５ｄを参照し、所定の音出力装置６が発生した音に対応するコマンドを抽出する。
【００５３】
ステップＳ５において、音解析部５ｂは、マイク５ａから供給される情報をもとに、所定時間以内に他の音データを取得したか否かを判断する。ここで、所定の時間とは、携帯電話またはスマートフォンなどの音出力装置６として用いられている装置が、例えば、通話や各種アプリケーションの操作などにおいて連続して操作入力を行うのにかかる時間に相当する時間を考慮して、実験的経験的に定められるものである。ステップＳ５において、所定時間以内に他の音データを取得していないと判断された場合、処理は、後述するステップＳ８に進む。
【００５４】
ステップＳ５において、所定時間以内に他の音データを取得したと判断された場合、ステップＳ６において、音解析部５ｂは、マイク５ａから供給された音データを解析する。
【００５５】
ステップＳ７において、音解析部５ｂは、解析された音データは、所定の音出力装置６が発生した音であるか否かを判断する。ステップＳ７において、所定の音出力装置６が発生した音であると判断された場合、音出力装置６として用いられている、例えば、携帯電話またはスマートフォンなどの装置において、通話や各種アプリケーションの操作が行われていると推定されるので、処理は、ステップＳ１に戻り、それ以降の処理が繰り返される。
【００５６】
ステップＳ５において、所定時間以内に他の音データを取得していないと判断された場合、または、ステップＳ７において、所定の音出力装置６が発生した音ではないと判断された場合、ステップＳ８において、制御部５ｅは、ステップＳ４において抽出されたコマンドに対応する調光制御信号を生成して、ＬＥＤ駆動回路部３に出力し、処理が終了される。
【００５７】
このような処理により、ユーザは、専用のリモートコントローラではない、所定の音を出力可能な音出力装置６を用いて、ＬＥＤラインランプの調光を指令することが可能となる。
【００５８】
なお、図６のフローチャートを用いて説明した処理においては、制御部５ｅは、音解析部５ｂから供給された１音に対応してコマンド抽出し、調光制御信号を生成するものとして説明したが、制御部５ｅは、例えば、複数の音の組み合わせに基づいて調光制御信号を生成するようにしてもよい。
【００５９】
複数の音の組み合わせについては、携帯電話またはスマートフォンなどの、ＤＴＭＦで定められた合成信号音を発生する装置において、例えば、通話や各種アプリケーションの操作において連続して操作入力されないと考えられる組み合わせを用いるようにすると好適である。例えば、制御部５ｅは、音解析部５ｂの解析処理によって、「＃−＃」が検出された後、所定時間内に0から9までの数字か、または、＊、#、のうちのいずれかに対応する音データの解析結果を得た場合のみ、コマンドリストを参照して、コマンドに対応する調光制御信号を生成し、ＬＥＤ駆動回路部３に出力するようにしてもよい。
【００６０】
また、音出力装置６として、携帯電話またはスマートフォンなどの、ＤＴＭＦで定められた合成信号音を発生する装置を利用し、音解析部５ｂとして、ＤＴＭＦデコーダを用いるようにした場合、多くのユーザが携帯している装置を、ＬＥＤラインランプのリモートコントローラとして利用することができ、専用のリモートコントローラを購入する必要がなくなる。
【００６１】
また、多くのユーザが常に携帯している装置を、ＬＥＤラインランプのリモートコントローラとして利用することができれば、ユーザは、必要に応じて、こまめに調光操作を行うことができるので、省電力につながり、好適である。
【００６２】
なお、外部入力部５ｃを用いて新たなプログラムをメモリ５ｄに記録させることにより、音解析部５ｂが実行可能な音解析処理をカスタマイズして、音出力装置６として、携帯電話またはスマートフォンなどの、ＤＴＭＦで定められた合成信号音を発生する装置以外を利用することが可能であるのは言うまでもない。
【００６３】
また、外部入力部５ｃを介してデータを入力することにより、メモリ５ｄに記録されているコマンドリスト等の情報の書き換えが可能である。
【００６４】
なお、音解析制御部５は、少なくともマイク５ａのみが封止蓋部１の外部に備えられていれば、それ以外の部分は、外筒部２の内部に搭載されていてもよく、例えば、ＬＥＤ駆動回路部３と同一の基板上に構成されるものであってもよい。
【００６５】
上述した技術は、ハードウェアとしては、例えば、ＬＥＤラインランプなどの照明機器、または、ＬＥＤラインランプなどの照明機器の調光を制御する制御装置に適用することができる。
【００６６】
また、本発明の実施の形態は、上述した実施の形態に限定されるものではなく、本発明の要旨を逸脱しない範囲において種々の変更が可能であって例えば、
(21)音解析処理部５に、音データの取得状況や調光操作の処理状況を点滅パターンや発音パターンでなどでユーザに通知するための通知部、例えば、ＬＥＤや圧電スピーカーなどを設ける、
(22)マイク５ａに高い指向性を有するものを用いて、ユーザの調光操作可能な位置を限定し（例えばＬＥＤラインランプの真下のみ操作可能とする）、複数のＬＥＤラインランプを離して設置する場合に個別に調光操作しやすくする、
(23)ＬＥＤラインランプ毎に固有の識別番号を保持し、調光操作に先だち当該識別番号に対応する音データの入力を必須とすることで、複数のＬＥＤラインランプを設置する場合に個別に調光操作しやすくする、
ようにしてもよい。
【符号の説明】
【００６７】
１，１´：封止蓋部
１ａ，１ａ´：電源端子、
２：外筒部
２ａ：放熱部
２ｂ：拡散部
３：ＬＥＤ駆動回路部（駆動手段）
４：ＬＥＤ基板
４ａ：ＬＥＤ素子
５：音解析制御部（ＬＥＤラインランプ制御装置）
５ａ：マイク（集音手段）
５ｂ：音解析部（解析手段）
５ｃ：外部入力部
５ｄ：メモリ（記録手段）
５ｅ：制御部（制御手段）
６：音出力装置
【図１】
2014110185.tif 000003
【図２】
2014110185.tif 000004
【図３】
2014110185.tif 000005
【図４】
2014110185.tif 000006
【図５】
2014110185.tif 000007
【図６】
2014110185.tif 000008